(57)【特許請求の範囲】
【請求項１】
遠隔操作でレリースワイヤを介して排水栓部に駆動力を伝達し、前記排水栓部の栓蓋を昇降させて浴槽に設けた排水口を開閉する排水栓装置において、
遠隔操作を行うための操作部は、昇降動作を行う操作ボタンと、上端にフランジを備えて上方が開放され、前記操作ボタンが挿入されたケーシングと、を備えると共に、
前記排水栓部の閉栓状態においては、前記操作ボタンの側面は前記ケーシング内部に隠蔽され、前記操作ボタンの上面は前記フランジと略同一面に露出した状態で設けられ、
この状態から、使用者が前記操作ボタンを下方に押し下げると、操作ボタンと前記栓蓋が上昇し、前記排水栓部が開栓状態となると共に、前記操作ボタンの側面が前記フランジよりも上方に露出し、
前記排水栓部の開栓状態において、前記栓蓋に下向きの力がかかると、前記栓蓋が下降して閉栓状態になるとともに前記操作ボタンが下降して操作ボタンの側面が前記ケーシング内部に隠蔽されることを特徴とする排水栓装置。
【請求項２】
遠隔操作でレリースワイヤを介して排水栓部に駆動力を伝達し、前記排水栓部の栓蓋を昇降させて浴槽に設けた排水口を開閉する排水栓装置において、
遠隔操作を行うための操作部は、昇降動作を行う操作ボタンと、前記操作ボタンの位置を上昇ポジション又は下降ポジションのいずれかの位置に保持するロック機構と、を備え、
前記操作ボタンにかかる力の向きを反転させて、排水栓部側端部において前記レリースワイヤのインナーワイヤにかかるように力を伝達する動作反転手段を備え、
さらに前記操作ボタン及び前記栓蓋を上昇する方向に付勢する付勢手段を備え、
前記排水栓部の開栓状態において、前記栓蓋に下向きの力がかかると、前記栓蓋が下降して閉栓状態になるとともに前記操作ボタンが下降して操作ボタンの側面が前記ケーシング内部に隠蔽されることを特徴とする排水栓装置。
【請求項３】
遠隔操作でレリースワイヤを介して排水栓部に駆動力を伝達し、前記排水栓部の栓蓋を昇降させて浴槽に設けた排水口を開閉する排水栓装置において、
遠隔操作を行うための操作部は、昇降動作を行う操作ボタンと、前記操作ボタンの位置を上昇ポジション又は下降ポジションのいずれかの位置に保持するスラストロック機構と、を備え、
前記レリースワイヤは、レリースワイヤの操作部側端部においてインナーワイヤにかかる力の方向と、排水栓部側端部においてインナーワイヤにかかる力の方向とが、動作反転部を境にして逆方向となるように力を伝達する動作反転機構を備え、
前記排水栓部の開栓状態において、前記栓蓋に下向きの力がかかると、前記栓蓋が下降して閉栓状態になるとともに前記操作ボタンが下降して操作ボタンの側面が前記ケーシング内部に隠蔽されることを特徴とする排水栓装置。
【請求項４】
遠隔操作でレリースワイヤを介して排水栓部に駆動力を伝達し、前記排水栓部の栓蓋を昇降させて浴槽に設けた排水口を開閉する排水栓装置において、
遠隔操作を行うための操作部は、昇降動作を行う操作ボタンと、前記操作ボタンの位置を上昇ポジション又は下降ポジションのいずれかの位置に保持するロック機構と、を備え、
前記操作ボタンとレリースワイヤの間に、前記操作ボタンにかかる力の向きを反転させて、排水栓部側端部においてレリースワイヤのインナーワイヤにかかるように力を伝達する動作反転機構を設け、
さらに前記操作ボタン及び前記栓蓋を上昇する方向に付勢する付勢手段を備え、
前記排水栓部の開栓状態において、前記栓蓋に下向きの力がかかると、前記栓蓋が下降して閉栓状態になるとともに前記操作ボタンが下降して操作ボタンの側面が前記ケーシング内部に隠蔽されることを特徴とする排水栓装置。
【請求項５】
遠隔操作でレリースワイヤを介して排水栓部に駆動力を伝達し、前記排水栓部の栓蓋を昇降させて浴槽に設けた排水口を開閉する排水栓装置において、
遠隔操作を行うための操作部は、昇降動作を行う操作ボタンと、上端にフランジを備えて上方が開放され、前記操作ボタンが挿入されたケーシングと、前記操作ボタンを下方に押し下げるごとに前記操作ボタンの側面が前記ケーシング内部に隠蔽された状態又は前記操作ボタンの側面が前記フランジよりも上方に露出した状態のいずれかに前記操作ボタンの位置を保持するロック機構と、を備え、
前記操作ボタン及び前記栓蓋を上昇する方向に付勢する付勢手段を備え、
前記操作ボタンにかかる力の向きを反転させて、排水栓部側端部において前記レリースワイヤのインナーワイヤにかかるように力を伝達する動作反転機構を備え、
前記排水栓部が閉栓状態である場合には、前記操作ボタンの側面が前記ケーシング内部に隠蔽されて前記操作ボタンの上面が前記フランジと略同一面に露出した状態となり、
この状態から、使用者が前記操作ボタンを下方に押し下げると、操作ボタンと前記栓蓋が上昇し、前記排水栓部が開栓状態となると共に、前記操作ボタンの側面が前記フランジよりも上方に露出した状態となり、
前記排水栓部の開栓状態において、前記栓蓋に下向きの力がかかると、前記栓蓋が下降して閉栓状態になるとともに前記操作ボタンが下降して操作ボタンの側面が前記ケーシング内部に隠蔽されることを特徴とする排水栓装置。
【請求項６】
遠隔操作でレリースワイヤを介して排水栓部に駆動力を伝達し、前記排水栓部の栓蓋を昇降させて浴槽に設けた排水口を開閉する排水栓装置において、
遠隔操作を行うための操作部は、昇降動作を行う操作ボタンと、上端にフランジを備えて上方が開放され、前記操作ボタンが挿入されたケーシングと、前記操作ボタンを下方に押し下げるごとに前記操作ボタンの側面が前記ケーシング内部に隠蔽された状態又は前記操作ボタンの側面が前記フランジよりも上方に露出した状態のいずれかに前記操作ボタンの位置を保持するスラストロック機構と、を備え、
前記レリースワイヤは、レリースワイヤの操作部側端部においてインナーワイヤにかかる力の方向と、排水栓部側端部においてインナーワイヤにかかる力の方向とが、動作反転部を境にして逆方向となるように力を伝達する動作反転機構を備え、
前記排水栓部が閉栓状態である場合には、前記操作ボタンの側面が前記ケーシング内部に隠蔽されて前記操作ボタンの上面が前記フランジと略同一面に露出した状態となり、
この状態から、使用者が前記操作ボタンを下方に押し下げると、操作ボタンと前記栓蓋が上昇し、前記排水栓部が開栓状態となると共に、前記操作ボタンの側面が前記フランジよりも上方に露出した状態となることを特徴とする排水栓装置。
【請求項７】
前記レリースワイヤは、前記スラストロック機構にインナーワイヤの一端が連結された第一のレリースワイヤと、前記排水栓部にインナーワイヤの一端が連結された第二のレリースワイヤとを備え、
前記動作反転機構は、前記第一のレリースワイヤ及び第二のレリースワイヤのそれぞれのアウターチューブからインナーワイヤの他端を露出させ、各インナーワイヤを同軸方向に指向させた状態で連結した構成としたことを特徴とする請求項３又は６に記載の排水栓装置。
【請求項８】
遠隔操作でレリースワイヤを介して排水栓部に駆動力を伝達し、前記排水栓部の栓蓋を昇降させて浴槽に設けた排水口を開閉する排水栓装置において、
遠隔操作を行うための操作部は、昇降動作を行う操作ボタンと、上端にフランジを備えて上方が開放され、前記操作ボタンが挿入されたケーシングと、前記操作ボタンを下方に押し下げるごとに前記操作ボタンの側面が前記ケーシング内部に隠蔽された状態又は前記操作ボタンの側面が前記フランジよりも上方に露出した状態のいずれかに前記操作ボタンの位置を保持するロック機構と、を備え、
前記操作ボタン及び前記栓蓋を上昇する方向に付勢する付勢手段を備え、
前記操作ボタンとレリースワイヤの間に、前記操作ボタンにかかる力の向きを反転させて、排水栓部側端部においてレリースワイヤのインナーワイヤにかかるように力を伝達する動作反転機構を設け、
前記排水栓部が閉栓状態である場合には、前記操作ボタンの側面が前記ケーシング内部に隠蔽されて前記操作ボタンの上面が前記フランジと略同一面に露出した状態となり、
この状態から、使用者が前記操作ボタンを下方に押し下げると、操作ボタンと前記栓蓋が上昇し、前記排水栓部が開栓状態となると共に、前記操作ボタンの側面が前記フランジよりも上方に露出した状態となり、
前記排水栓部の開栓状態において、前記栓蓋に下向きの力がかかると、前記栓蓋が下降して閉栓状態になるとともに前記操作ボタンが下降して操作ボタンの側面が前記ケーシング内部に隠蔽されることを特徴とする排水栓装置。
【請求項９】
遠隔操作でレリースワイヤを介して排水栓部に駆動力を伝達し、前記排水栓部の栓蓋を昇降させて浴槽に設けた排水口を開閉する排水栓装置において、
遠隔操作を行うための操作部と、
前記栓蓋が上昇するように付勢力を付与して前記排水栓部を開栓すると共に、その付勢力によって開栓状態を保持する付勢手段と、
前記操作部を操作して閉栓した場合には前記付勢手段の付勢力が前記栓蓋に伝達されないように前レリースワイヤのインナーワイヤをロックして閉栓状態を保持する閉栓状態保持機構と、
を備え、
さらに、前記閉栓状態保持機構は、開栓状態において前記栓蓋を踏みつけた際に、前記栓蓋の下降による前記レリースワイヤの動作を許容する動作許容部を備え、
前記排水栓部の開栓状態において、前記栓蓋に下向きの力がかかると、前記栓蓋が下降して閉栓状態になるとともに前記操作ボタンが下降して操作ボタンの側面が前記ケーシング内部に隠蔽されることを特徴とする排水栓装置。
【発明の詳細な説明】
【技術分野】
【０００１】
本発明は、遠隔操作で開閉する浴槽用の排水栓装置に関する。
【背景技術】
【０００２】
従来から、浴槽の排水栓装置としてポップアップ式の排水栓が知られている（例えば特許文献１）。これは、浴槽の排水口に、レリースワイヤを遠隔より操作して栓蓋を開閉する排水栓装置を設け、前記レリースワイヤを浴槽のフランジに設けた操作部に連結して、使用者が操作部の手動ボタンを操作して遠隔操作で排水口を開閉するものである。
【０００３】
この排水栓装置においては、閉栓状態において、使用者が手動ボタンを押下すると、レリースワイヤのインナーワイヤが排水部側へ移動し、栓蓋を押し上げて栓を開くことができる。このとき、排水部内のスラストロック機構が作動して栓蓋の開栓状態を保持するようになっている。また、開栓状態においては、手動ボタンは操作部が取り付けられている浴槽のフランジよりも低く凹んだ状態に保持され、且つ、栓蓋は浴槽底面よりも一段高い凸状態に保持されている。
【０００４】
開栓状態から再度手動ボタンを押下すると、インナーワイヤを押し下げ、栓蓋を下降させて栓を閉めることができる。閉栓状態においては、手動ボタンは操作部が取り付けられている浴槽のフランジと略同一平面に復帰して保持されている。
【先行技術文献】
【特許文献】
【０００５】
【特許文献１】特開２００２−５４２０６号公報
【発明の概要】
【発明が解決しようとする課題】
【０００６】
上記従来の排水栓装置においては、開栓している状態では、栓蓋が排水口から上昇しているのに操作ボタンは下降していた。また、閉栓している状態では、栓蓋が下降して排水口を閉じているのに手動ボタンは上昇して浴槽のフランジを略同一面になっていた。すなわち、排水栓の栓蓋の昇降状態と、操作部の手動ボタンの昇降状態が逆になっていた。そのため、操作部を見ただけでは排水部の開閉状態を直観的に把握することができず、誤使用の原因となっていた。
【０００７】
また、開栓状態において、手動ボタンは操作部が取り付けられている浴槽のフランジよりも低く凹んだ状態に保持されることから、清掃時の洗剤や洗浄水が溜まりやすいといった課題が生じていた。
さらには、栓蓋を踏みつけた際にレリースワイヤに伝わる力により排水栓装置が破損するという問題も生じている。浴槽内に足を踏み入れても安心に清掃できるように、栓蓋を踏みつけても破損することのない浴槽用の排水栓装置を提供することも大きな課題である。
【０００８】
本発明は、かかる課題の認識に基づいてなされたものであり、第一の課題は、操作部の状態から排水栓の開閉状態を直観的に把握することができ、使用者にとって使い易い、浴槽用の排水栓装置を提供することにある。また、第二の課題は、排水栓の栓蓋を踏みつけても破損することのない浴槽用の排水栓装置を提供することにある。
【課題を解決するための手段】
【０００９】
上記した第一の課題を解決するために請求項１に係る発明にあっては、遠隔操作でレリースワイヤを介して排水栓部に駆動力を伝達し、前記排水栓部の栓蓋を昇降させて浴槽に設けた排水口を開閉する排水栓装置において、遠隔操作を行うための操作部は、昇降動作を行う操作ボタンと、上端にフランジを備えて上方が開放され、前記操作ボタンが挿入されたケーシングと、を備えると共に、前記排水栓部の閉栓状態においては、前記操作ボタンの側面は前記ケーシング内部に隠蔽され、前記操作ボタンの上面は前記フランジと略同一面に露出した状態で設けられ、この状態から、使用者が前記操作ボタンを下方に押し下げると、操作ボタンと前記栓蓋が上昇し、前記排水栓部が開栓状態となると共に、前記操作ボタンの側面が前記フランジよりも上方に露出し、前記排水栓部の開栓状態において、前記栓蓋に下向きの力がかかると、前記栓蓋が下降して閉栓状態になるとともに前記操作ボタンが下降して操作ボタンの側面が前記ケーシング内部に隠蔽されることを特徴とするものである。
【００１０】
このような構成とすることで、操作ボタンの昇降状態と排水栓部の開閉状態、すなわち、栓蓋の昇降状態とが同期し、操作ボタンの上昇時には栓蓋が上昇し、操作ボタンの下降時には栓蓋が下降するため、排水栓部の開閉状態を使用者に対し直観的で分かり易く伝えることが可能となる。また、清掃時に洗剤や洗浄水が操作部に滞留するのを防止することが可能となる。
また、このような構成とすることで、使用者に対し蓋栓が閉栓状態になったことを直観的で分かり易く伝えることが可能となる。
【００１５】
また、上記した第二の課題を解決するために、請求項２に係る発明は、遠隔操作でレリースワイヤを介して排水栓部に駆動力を伝達し、前記排水栓部の栓蓋を昇降させて浴槽に設けた排水口を開閉する排水栓装置において、遠隔操作を行うための操作部は、昇降動作を行う操作ボタンと、前記操作ボタンの位置を上昇ポジション又は下降ポジションのいずれかの位置に保持するロック機構と、を備え、前記操作ボタンにかかる力の向きを反転させて、排水栓部側端部において前記レリースワイヤのインナーワイヤにかかるように力を伝達する動作反転手段を備え、さらに前記操作ボタン及び前記栓蓋を上昇する方向に付勢する付勢手段を備え、前記排水栓部の開栓状態において、前記栓蓋に下向きの力がかかると、前記栓蓋が下降して閉栓状態になるとともに前記操作ボタンが下降して操作ボタンの側面が前記ケーシング内部に隠蔽されることを特徴とする。
【００１６】
このような構成とすることで、開栓時の排水栓部の栓蓋は付勢手段によって上昇した位置を保持する。そして、開栓時に排水栓部の栓蓋を踏みつけた場合、レリースワイヤは動作反転手段によって、栓蓋を下方に押し下げる力を操作部のロック機構のロックが解除される方向に動くように伝えるので、排水栓装置の破損を防ぐことが可能となる。
なお、ロック機構は、例えば、プッシュ式ボールペンにも採用されているスラストロック機構を含むものである。
また、このような構成とすることで、使用者に対し蓋栓が閉栓状態になったことを直観的で分かり易く伝えることが可能となる。
【００１７】
また、上記した第二の課題を解決するために、請求項３に係る発明は、遠隔操作でレリースワイヤを介して排水栓部に駆動力を伝達し、前記排水栓部の栓蓋を昇降させて浴槽に設けた排水口を開閉する排水栓装置において、遠隔操作を行うための操作部は、昇降動作を行う操作ボタンと、前記操作ボタンの位置を上昇ポジション又は下降ポジションのいずれかの位置に保持するスラストロック機構と、を備え、前記レリースワイヤは、レリースワイヤの操作部側端部においてインナーワイヤにかかる力の方向と、排水栓部側端部においてインナーワイヤにかかる力の方向とが、動作反転部を境にして逆方向となるように力を伝達する動作反転機構を備え、前記排水栓部の開栓状態において、前記栓蓋に下向きの力がかかると、前記栓蓋が下降して閉栓状態になるとともに前記操作ボタンが下降して操作ボタンの側面が前記ケーシング内部に隠蔽されることを特徴とする。
【００１８】
このような構成とすることで、開栓時に排水栓部の栓蓋を踏みつけた場合、レリースワイヤは動作反転機構によって、栓蓋を下方に押し下げる力を操作部のスラストロック機構のロックが解除される方向に動くように伝えるので、排水栓装置の破損を防ぐことが可能となる。
また、このような構成とすることで、使用者に対し蓋栓が閉栓状態になったことを直観的で分かり易く伝えることが可能となる。
【００１９】
また、上記した第二の課題を解決するために、請求項４に係る発明は、遠隔操作でレリースワイヤを介して排水栓部に駆動力を伝達し、前記排水栓部の栓蓋を昇降させて浴槽に設けた排水口を開閉する排水栓装置において、遠隔操作を行うための操作部は、昇降動作を行う操作ボタンと、前記操作ボタンの位置を上昇ポジション又は下降ポジションのいずれかの位置に保持するロック機構と、を備え、前記操作ボタンとレリースワイヤの間に、前記操作ボタンにかかる力の向きを反転させて、排水栓部側端部においてレリースワイヤのインナーワイヤにかかるように力を伝達する動作反転機構を設け、さらに前記操作ボタン及び前記栓蓋を上昇する方向に付勢する付勢手段を備え、前記排水栓部の開栓状態において、前記栓蓋に下向きの力がかかると、前記栓蓋が下降して閉栓状態になるとともに前記操作ボタンが下降して操作ボタンの側面が前記ケーシング内部に隠蔽されることを特徴とする。
【００２０】
このような構成とすることで、開栓時の排水栓部の栓蓋は付勢手段によって上昇した位置を保持する。そして、開栓時に排水栓部の栓蓋を踏みつけた場合、レリースワイヤは動作反転機構によって、栓蓋を下方に押し下げる力を操作部のスラストロック機構のロックが解除される方向に動くように伝えるので、排水栓装置の破損を防ぐことが可能となる。また、動作反転機構を、レリースワイヤの操作部側端部に設けたので、動作反転機構の防水性を高めることが可能となる。
また、このような構成とすることで、使用者に対し蓋栓が閉栓状態になったことを直観的で分かり易く伝えることが可能となる。
【００２１】
また、上記した第二の課題を解決するために、請求項５に係る発明は、遠隔操作でレリースワイヤを介して排水栓部に駆動力を伝達し、前記排水栓部の栓蓋を昇降させて浴槽に設けた排水口を開閉する排水栓装置において、遠隔操作を行うための操作部は、昇降動作を行う操作ボタンと、上端にフランジを備えて上方が開放され、前記操作ボタンが挿入されたケーシングと、前記操作ボタンを下方に押し下げるごとに前記操作ボタンの側面が前記ケーシング内部に隠蔽された状態又は前記操作ボタンの側面が前記フランジよりも上方に露出した状態のいずれかに前記操作ボタンの位置を保持するロック機構と、を備え、前記操作ボタン及び前記栓蓋を上昇する方向に付勢する付勢手段を備え、前記操作ボタンにかかる力の向きを反転させて、排水栓部側端部において前記レリースワイヤのインナーワイヤにかかるように力を伝達する動作反転機構を備え、前記排水栓部が閉栓状態である場合には、前記操作ボタンの側面が前記ケーシング内部に隠蔽されて前記操作ボタンの上面が前記フランジと略同一面に露出した状態となり、この状態から、使用者が前記操作ボタンを下方に押し下げると、操作ボタンと前記栓蓋が上昇し、前記排水栓部が開栓状態となると共に、前記操作ボタンの側面が前記フランジよりも上方に露出した状態となり、前記排水栓部の開栓状態において、前記栓蓋に下向きの力がかかると、前記栓蓋が下降して閉栓状態になるとともに前記操作ボタンが下降して操作ボタンの側面が前記ケーシング内部に隠蔽されることを特徴とする。
【００２２】
このような構成とすることで、操作ボタンの昇降状態と排水栓部の開閉状態、すなわち、栓蓋の昇降状態とが同期し、操作ボタンの上昇時には栓蓋が上昇し、操作ボタンの下降時には栓蓋が下降するため、排水栓部の開閉状態を使用者に対し直観的で分かり易く伝えることが可能となる。また、清掃時に洗剤や洗浄水が操作部に滞留するのを防止することが可能となる。さらに、操作ボタンの押し下げにより、排水栓部の栓蓋を下降させることが可能となる。また、開栓時の排水栓部の栓蓋は付勢手段によって上昇した位置を保持するから、開栓時における排水栓部の栓蓋を踏みつけた場合に、レリースワイヤは動作反転機構によって、栓蓋を下方に押し下げる力を操作部のロック機構のロックが解除される方向に動くように伝えるので、排水栓装置の破損を防ぐことが可能となる。
なお、ロック機構は、例えば、プッシュ式ボールペンにも採用されているスラストロック機構を含むものである。
また、このような構成とすることで、使用者に対し蓋栓が閉栓状態になったことを直観的で分かり易く伝えることが可能となる。
【００２３】
また、上記した第二の課題を解決するために、請求項６に係る発明は、遠隔操作でレリースワイヤを介して排水栓部に駆動力を伝達し、前記排水栓部の栓蓋を昇降させて浴槽に設けた排水口を開閉する排水栓装置において、遠隔操作を行うための操作部は、昇降動作を行う操作ボタンと、上端にフランジを備えて上方が開放され、前記操作ボタンが挿入されたケーシングと、前記操作ボタンを下方に押し下げるごとに前記操作ボタンの側面が前記ケーシング内部に隠蔽された状態又は前記操作ボタンの側面が前記フランジよりも上方に露出した状態のいずれかに前記操作ボタンの位置を保持するスラストロック機構と、を備え、前記レリースワイヤは、レリースワイヤの操作部側端部においてインナーワイヤにかかる力の方向と、排水栓部側端部においてインナーワイヤにかかる力の方向とが、動作反転部を境にして逆方向となるように力を伝達する動作反転機構を備え、前記排水栓部が閉栓状態である場合には、前記操作ボタンの側面が前記ケーシング内部に隠蔽されて前記操作ボタンの上面が前記フランジと略同一面に露出した状態となり、この状態から、使用者が前記操作ボタンを下方に押し下げると、操作ボタンと前記栓蓋が上昇し、前記排水栓部が開栓状態となると共に、前記操作ボタンの側面が前記フランジよりも上方に露出した状態となることを特徴とする。
【００２４】
このような構成とすることで、操作ボタンの昇降状態と排水栓部の開閉状態、すなわち、栓蓋の昇降状態とが同期し、操作ボタンの上昇時には栓蓋が上昇し、操作ボタンの下降時には栓蓋が下降するため、排水栓部の開閉状態を使用者に対し直観的で分かり易く伝えることが可能となる。また、清掃時に洗剤や洗浄水が操作部に滞留するのを防止することが可能となる。さらに、操作ボタンの押し下げにより、排水栓部の栓蓋を下降させることが可能となる。また、開栓時における排水栓部の栓蓋を踏みつけた場合に、レリースワイヤは動作反転機構によって、栓蓋を下方に押し下げる力を操作部のスラストロック機構のロックが解除される方向に動くように伝えるので、排水栓装置の破損を防ぐことが可能となる。
【００２５】
また、請求項７に係る発明は、請求項３又は６において、前記レリースワイヤは、前記スラストロック機構にインナーワイヤの一端が連結された第一のレリースワイヤと、前記排水栓部にインナーワイヤの一端が連結された第二のレリースワイヤとを備え、前記動作反転機構は、前記第一のレリースワイヤ及び第二のレリースワイヤのそれぞれのアウターチューブからインナーワイヤの他端を露出させ、各インナーワイヤを同軸方向に指向させた状態で連結した構成としたことを特徴とする。
【００２６】
このような構成とすることで、新たな装置を組み込む必要なしに、簡単な構成で操作部の力の方向を反転させて排水栓部に伝えることが可能となり、排水栓装置の大型化を防ぐことができる。
【００２７】
また、上記した第二の課題を解決するために、請求項８に係る発明は、遠隔操作でレリースワイヤを介して排水栓部に駆動力を伝達し、前記排水栓部の栓蓋を昇降させて浴槽に設けた排水口を開閉する排水栓装置において、遠隔操作を行うための操作部は、昇降動作を行う操作ボタンと、上端にフランジを備えて上方が開放され、前記操作ボタンが挿入されたケーシングと、前記操作ボタンを下方に押し下げるごとに前記操作ボタンの側面が前記ケーシング内部に隠蔽された状態又は前記操作ボタンの側面が前記フランジよりも上方に露出した状態のいずれかに前記操作ボタンの位置を保持するロック機構と、を備え、前記操作ボタン及び前記栓蓋を上昇する方向に付勢する付勢手段を備え、前記操作ボタンとレリースワイヤの間に、前記操作ボタンにかかる力の向きを反転させて、排水栓部側端部においてレリースワイヤのインナーワイヤにかかるように力を伝達する動作反転機構を設け、前記排水栓部が閉栓状態である場合には、前記操作ボタンの側面が前記ケーシング内部に隠蔽されて前記操作ボタンの上面が前記フランジと略同一面に露出した状態となり、この状態から、使用者が前記操作ボタンを下方に押し下げると、操作ボタンと前記栓蓋が上昇し、前記排水栓部が開栓状態となると共に、前記操作ボタンの側面が前記フランジよりも上方に露出した状態となり、前記排水栓部の開栓状態において、前記栓蓋に下向きの力がかかると、前記栓蓋が下降して閉栓状態になるとともに前記操作ボタンが下降して操作ボタンの側面が前記ケーシング内部に隠蔽されることを特徴とする。
【００２８】
このような構成とすることで、操作ボタンの昇降状態と排水栓部の開閉状態、すなわち、栓蓋の昇降状態とが同期し、操作ボタンの上昇時には栓蓋が上昇し、操作ボタンの下降時には栓蓋が下降するため、排水栓部の開閉状態を使用者に対し直観的で分かり易く伝えることが可能となる。また、清掃時に洗剤や洗浄水が操作部に滞留するのを防止することが可能となる。さらに、操作ボタンの押し下げにより、排水栓部の栓蓋を下降させることが可能となる。また、開栓時の排水栓部の栓蓋は付勢手段によって上昇した位置を保持するから、開栓時における排水栓部の栓蓋を踏みつけた場合に、レリースワイヤは動作反転機構によって、栓蓋を下方に押し下げる力を操作部のスラストロック機構のロックが解除される方向に動くように伝えるので、排水栓装置の破損を防ぐことが可能となる。また、動作反転機構を、レリースワイヤの操作部側端部に設けたので、動作反転機構の防水性を高めることが可能となる。
また、このような構成とすることで、使用者に対し蓋栓が閉栓状態になったことを直観的で分かり易く伝えることが可能となる。
【００２９】
また、上記した第二の課題を解決するために、請求項９に係る発明は、遠隔操作でレリースワイヤを介して排水栓部に駆動力を伝達し、前記排水栓部の栓蓋を昇降させて浴槽に設けた排水口を開閉する排水栓装置において、遠隔操作を行うための操作部と、前記栓蓋が上昇するように付勢力を付与して前記排水栓部を開栓すると共に、その付勢力によって開栓状態を保持する付勢手段と、前記操作部を操作して閉栓した場合には前記付勢手段の付勢力が前記栓蓋に伝達されないように前レリースワイヤのインナーワイヤをロックして閉栓状態を保持する閉栓状態保持機構と、を備え、さらに、前記閉栓状態保持機構は、開栓状態において前記栓蓋を踏みつけた際に、前記栓蓋の下降による前記レリースワイヤの動作を許容する動作許容部を備え、前記排水栓部の開栓状態において、前記栓蓋に下向きの力がかかると、前記栓蓋が下降して閉栓状態になるとともに前記操作ボタンが下降して操作ボタンの側面が前記ケーシング内部に隠蔽されることを特徴とする。
【００３０】
このような構成とすることで、開栓状態の栓蓋を踏みつけられて栓蓋が下降しても、動作許容部によってレリースワイヤの動作を許容しているため、排水栓装置の破損を防ぐことが可能となる。
また、このような構成とすることで、使用者に対し蓋栓が閉栓状態になったことを直観的で分かり易く伝えることが可能となる。
【発明の効果】
【００３１】
本発明によれば、排水栓部の開閉状態が使用者にとって直観的に分かりやすいので使い易い。また、誤って排水栓部の蓋栓を踏みつけても破損することがなく、清掃時の洗剤や洗浄水の滞留を防止する排水栓装置を提供することができる。
【図面の簡単な説明】
【００３２】
【図１】本発明の実施形態にかかる排水栓装置の開栓状態を示す概略断面図である。
【図２】本発明の実施形態にかかる排水栓装置の閉栓状態を示す概略断面図である。
【図３】排水栓装置を取り付けた浴槽を示す斜視図である。
【図４】本発明の実施形態にかかる排水栓装置の操作部を示す概略断面図であり、（ａ）は開栓状態を示し、（ｂ）はスラストロック機構のロック解除状態を示し、（ｃ）は閉栓状態を示す。
【図５】スラストロック機構の外ケースの係止歯と非回転リングの係合歯と回転リングの被係合歯との関係を示す展開図である。
【図６】操作ボタンの押し下げによるスラストロック機構の動作を図５の展開図を基に説明する図であり、（ａ）は排水栓の開栓状態で操作ボタンを押し下げた状態を示し、（ｂ）は（ａ）の後の操作ボタンから手を離した状態を示し、（ｃ）は操作ボタンを再度押し下げた状態を示し、（ｄ）は（ｃ）の後に手を離して排水栓を開栓する状態を示す。
【図７】本発明の実施形態にかかる排水栓装置の排水栓を示す概略断面図であり、（ａ）は開栓状態を示し、（ｂ）はスラストロック機構のロック解除状態を示し、（ｃ）は閉栓状態を示す。
【図８】本発明の実施形態にかかる排水栓装置の動作反転部を示す概略断面図であり、（ａ）は開栓状態を示し、（ｂ）はスラストロック機構のロック解除状態を示し、（ｃ）は閉栓状態を示す。
【図９】本発明の実施形態にかかる排水栓装置の開栓、閉栓に応じた操作部の状態を示す概略断面図であって、（ａ）は開栓状態における操作部を示し、（ｂ）は閉栓状態における操作部を示す。
【図１０】排水栓部の栓蓋を踏みつけた場合のスラストロック機構の動作を図５の展開図を基に説明する図であり、（ａ）は栓蓋が開栓した状態を示し、（ｂ）栓蓋を踏みつけた状態を示す。
【図１１】本発明の第二の実施形態にかかるケーシングの内部構造を表す分解模式図である
【図１２】本発明の第二の実施形態にかかるワイヤの連結構造を説明するための断面模式図である。
【図１３】本発明の第二の実施形態にかかるレリースワイヤの連結構造を説明するための平面模式図である。
【図１４】本発明の第二の実施形態にかかる回転体を表す斜視模式図である。
【図１５】本発明の第二の実施形態にかかるケーシングに形成されたガイド凹部を表す斜視模式図である。
【図１６】本発明の第二の実施形態にかかるロック機構の動作を説明するための模式図である。
【図１７】本発明の第二の実施形態にかかるロック機構の動作を説明するための模式図である。
【図１８】本発明の第二の実施形態にかかるロック機構の動作を説明するための模式図である。
【図１９】本発明の第二の実施形態にかかるロック機構の動作を説明するための模式図である。
【図２０】本発明の第二の実施形態にかかるカム溝に対するロックピンの相対的な移動を説明するための平面模式図である。
【発明を実施するための最良の形態】
【００３３】
以下、本発明の実施の形態について図面を参照しつつ説明する。
図１は開栓状態の排水栓装置を示す概略断面図、図２は閉栓状態の排水栓装置を示す概略断面図、図３は排水栓装置を取り付けた浴槽を示す斜視図である。
図１、図２に示すとおり、排水栓装置は、浴槽の排水口を開閉する排水栓部１００と、排水栓部１００を遠隔操作するための操作部２００と、操作部２００から排水栓部１００に駆動力を伝達するレリースワイヤ３００と、を備えている。レリースワイヤ３００は、アウターチューブとその内部に移動可能な状態で設けられたインナーワイヤとから構成されるものである。なお、本実施形態においては、レリースワイヤ３００は操作部側と排水栓部側とに分割され、一端が操作部２００に接続された第一のレリースワイヤ３１０と、一端が排水栓部１００に接続された第二のレリースワイヤ３２０とでレリースワイヤ３００を構成している。また、第一のレリースワイヤ３１０の他端と第二のレリースワイヤ３２０の他端とは、後述するように、アウターチューブに対するインナーワイヤの動作方向が逆になるように結合されている。
【００３４】
この排水栓装置は、図３に示すように、浴槽５００に取り付けて使用される。操作部２００は、浴槽５００の上端部に形成されたフランジ５１０に開設された貫通孔５１１に取り付けられる。排水栓部１００は、浴槽５００の排水口５２０に取り付けられる。また、レリースワイヤ３００（３１０、３２０）は、浴槽のフランジ５１０上の貫通孔５１１と排水口５２０とを連通するように設けられたガイド筒５３０に内蔵される。
なお、操作部２００は、浴槽５００の近傍に設けられたカウンター（図示せず）に取り付けることも可能である。
【００３５】
次に、図４〜図８を参照しつつ、排水栓装置の詳細な構造について説明する。
図４は操作部を示す概略断面図、図５はスラストロック機構の外ケースの係止歯と非回転リングの係合歯と回転リングの被係合歯との関係を示す展開図、図６は操作ボタンの押し下げによるスラストロック機構の動作を図５の展開図を基に説明する図、図７は排水栓部を示す概略断面図、図８は、レリースワイヤに設けられた動作反転部を示す概略断面図である。
操作部２００は、図４に示すように、昇降動作を行う操作ボタン式の操作ボタン２１０と、上端にフランジ２２１を備えた円筒形状のケーシング２２０と、ケーシング２２０に固定されたスラストロック機構２３０と、を備えている。操作ボタン２１０は、ケーシング２２０の内部に挿入されており、操作ボタン２１０の側面２１１がケーシング２２０の内周面を摺動するようにして昇降動作を行う。
【００３６】
スラストロック機構２３０は、例えば、プッシュ式ボールペンにも採用されている既知の機構である。操作ボタン２１０を手で押し下げるごとにスラストロック機構２３０のロックが解除される。その後、操作ボタン２１０から手を離すと、内蔵されたスプリング２３６の付勢力によって操作ボタン２１０を上昇させ、スラストロック機構２３０を、操作ボタン２１０を上昇ポジションに保持する第一のロック状態（図４（ａ）に示す状態）と、下降ポジションに保持する第二のロック状態（図４（ｃ）に示す状態）とのいずれかになる。なお、本実施形態においては、スプリング２３６は、排水栓部１００の栓蓋１１０が上昇するようにレリースワイヤ３００を介して付勢力を付与し、その付勢力によって排水栓部１００の開栓状態を保持する付勢手段としても機能する。また、スラストロック機構２３０が、閉栓状態を保持する閉栓状態保持機構として機能する。
【００３７】
図４、図５を参照して、スラストロック機構について説明する。
スラストロック機構２３０は、外ケース２３１と、外ケース２３１の下方に挿入されて固着される内ケース２３２と、外ケース２３１内を昇降可能な非回転リング２３３及び回転リング２３４と、非回転リング２３３を上に回転リング２３４を下にして同軸上に保持する支持軸２３５と、内ケース２３２に対して支持軸２３５を上方向に付勢するスプリング２３６とを、備えている。なお、非回転リング２３３の上部は、外ケース２３１の上端面から上方に突き出て、操作ボタン２１０に連結されている。
【００３８】
外ケース２３１は、その内周面に所定の間隔を空けて複数の凸部２３１ａが形成され、各凸部２３１ａの間にはガイド溝２３１ｂが形成され、凸部２３１ａの下面に鋸歯状の係止歯２３１ｃが形成されている。このガイド溝２３１ｂが、後述する動作許容部となる。
非回転リング２３３は、下面に鋸歯状の係合歯２３３ａが形成されている。
回転リング２３４は、上面に被係合歯２３４ａが形成され、支持軸２３５から突設された鍔部２３５ａ上にて支持軸２３５の軸心を中心として回転可能に遊嵌されている。
そして、非回転リング２３３及び回転リング２３４は、ガイド溝２３１ｂに案内されて外ケース２３１内で昇降可能である。なお、外ケース２３１の係止歯２３１ｃ、非回転リングの係合歯２３３ａは、それぞれの歯の位置が回転リング２３４の回転方向に若干ずらして配置している。
【００３９】
スプリング２３６は、鍔部２３５ａと内ケース２３２の底部との間に介在され、常時、鍔部２３５ａが形成された支持軸２３５を上方向に付勢している。
【００４０】
また、このスラストロック機構２３０に対して、第一のレリースワイヤ３１０は、アウターチューブ３１１の一端が内ケース２５２に固定され、インナーワイヤ３１２が内ケース２５２の貫通孔を突き抜けてスラストロック機構２３０の支持軸２３５に固定されている。これにより、スラストロック機構２３０を介して操作ボタン２１０を押す力を第一のレリースワイヤ３１０に駆動力として伝達させる。また、スプリング２３６は、第一のレリースワイヤのインナーワイヤ３１２を上方向に付勢している。
【００４１】
次に、図６を参照して、スラストロック機構２３０の動作を説明する。
このスラストロック機構２３０は、操作ボタン２１０が上昇ポジションに保持された第一のロック状態から操作ボタン２１０を押し下げると、操作ボタン２１０に連結された支持軸２３５が下降することにより非回転リング２３３及び回転リング２３４がガイド溝２３１ｂに案内されつつ下降してロックが解除される。これにより、回転リング２３４は、ガイド溝２３１ｂの下方に抜けて外ケース２３１の内面に形成されている鋸歯状の係止歯２３１ｃ下方まで押し下げられる。回転リング２３４がガイド溝２３１ｂから抜けると、回転リング２３４は、スプリング２３６の付勢力を受けて非回転リング２３３の係合歯２３３ａの鋸歯部分（斜面部分）で被係合歯２３４ａが案内されて正方向（図面右方向）に回動する（図６（ａ））。そして操作ボタン２１０から手を離すと、スプリング２３６の付勢力を受けて、支持軸２３５は非回転リング２３３及び回転リング２３４とともに上昇を開始するが、上昇途中で回転リング２３４の被係合歯２３４ａが外ケース２３１の係止歯２３１ｃの鋸歯部分（斜面部分）で案内されて正方向（図面右方向）に回動して係止歯２３１ｃに係止され、非回転リング２３３、回転リング２３４、支持軸２３５の上昇が阻止される（図６（ｂ））。この状態では、回転リング２３４はガイド溝２３１ｂに挿入されていないため、回転リング２３４は閉栓状態よりも相対的に下方位置に保持されている。すなわち、スラストロック機構は、第二のロック状態になる。
【００４２】
この状態から再度操作ボタン２１０を押し下げると、支持軸２３５とともに非回転リング２３３及び回転リング２３４を下降させて、回転リング２３４の被係合歯２３４ａを外ケース２３１の係止歯２３１ｃから離間させると共に、非回転リング２３３の係合歯２３３ａに係合させて回転リング２３４を更に正方向（図面右方向）に微小角度回動させる（図６（ｃ））。そして操作ボタン２１０から手を離すとスプリング２３６の付勢力を受けて支持軸２３５は非回転リング２３３及び回転リング２３４とともに上昇を始める。上昇の途中で被係合歯２３４ａは、外ケース２３１の係止歯２３１ａにおける外端の鋸歯部分（斜面部分）に係合して回転リング２３４は正方向（図面右方向）に回動し、その鋸歯部分の案内機能でガイド溝２３１ｂに案内されて回転リング２３４が支持軸２３５とともに上昇する（図６（ｄ））。この状態では、回転リング２３４はガイド溝２３１ｂに挿入されており、回転リング２３４は開栓状態よりも相対的に上方位置に保持されている。すなわち、スラストロック機構は、第一のロック状態になる。
【００４３】
次に、図７を参照して、排水栓部１００について説明する。排水栓部１００は、浴槽５００の底面に設けられた排水口５２０に設けられた排水口金具（図示せず）に設けられ、昇降動作によって排水口５２０の開栓と閉栓を行う栓蓋１１０と、栓蓋１１０の下方に設けられたケース６２０とを備えている。ケース６２０は、内ケース１２１と外ケース１２２とを嵌合させて、上端面及び下端面にそれぞれ貫通孔を形成した形状に構成され、ピン１２３が昇降可能に内蔵されている。ピン１２３の上部は、外ケース１２１の上端面の貫通孔を突き抜けて外部に露出している。このケース６２０に対して、第二のレリースワイヤ３２０は、アウターチューブ３２１が内ケース１２１に固定され、インナーワイヤ３２２が内ケース１２１の貫通孔を突き抜けてピン１２３に固定されている。これにより、第二のレリースワイヤ３２２を伝わる駆動力をピン１２３に伝達させて、ピン１２３を昇降動作させ、栓蓋１１０が昇降動作して、排水口５２０を開栓または閉栓する。
【００４４】
図１，２，８に示すように、第一のレリースワイヤ３１０と第二のレリースワイヤ３２０との間には、動作反転部４００を備えた動作反転機構を設けている。動作反転機構は、第一のレリースワイヤ３１０におけるアウターチューブ３１１に対してインナーワイヤ３１２が動作する方向と、第二のレリースワイヤ３２０におけるアウターチューブ３２１に対してインナーワイヤ３２２が動作する方向とが、動作反転部４００を境にして反転して逆方向になるように、第一のレリースワイヤ３１０と第二のレリースワイヤとの間で駆動力を伝達することができる。すなわち、操作部２００の操作ボタン２１０が押されて第一のレリースワイヤ３１０のインナーワイヤ３１２が排水栓部１００側に動くと、動作反転部４００はその動作方向を反転させて、第二のレリースワイヤ３２０のインナーワイヤ３２２を操作部２００側に動かす。また、操作部２００の操作ボタン２１０から手が離れて第一のレリースワイヤ３１０のインナーワイヤ３１２が操作部２００側に動くと、動作反転部４００は第二のレリースワイヤ３２０のインナーワイヤ３２２を排水栓部１００側に動かす。
【００４５】
また、排水栓部１００の栓蓋１１０を押し下げて第二のレリースワイヤ３２０のインナーワイヤ３２２が操作部２００側に動くと、動作反転部４００によって第一のレリースワイヤ３１０のインナーワイヤ３１２を排水栓部１００側に動かす。この場合には、第一のレリースワイヤ３１０のインナーワイヤ３１２がスラストロック機構２３０の支持軸２３５を引き下げるので、操作部２００のスラストロック機構２３０は、ロックが解除される方向に作用する。
【００４６】
なお、本実施形態においては、図６に示すように、第一のレリースワイヤ３１０と第二のレリースワイヤ３２０の他端部において、アウターチューブ３１１，３２１を同軸方向に指向させて連結アウターチューブ３３０を形成するとともに、連結アウターチューブ３３０の内部で、双方のインナーワイヤ３１２，３２２の端部を固定具３４０で結合することにより、動作反転部４００を構成している。
【００４７】
次に、排水栓部の開栓、閉栓に応じた操作部の状態について説明する。
図９は、排水栓部の開栓、閉栓に応じた操作部の状態を示す斜視図であり、（ａ）は開栓状態における操作部、（ｂ）は閉栓状態における操作部、を示している。
この排水栓装置では、排水栓部１００の閉栓状態においては、栓蓋１１０が下降して排水口５２０を塞ぎ、且つ、図９（ａ）に示すように、操作ボタン２１０も下降してケーシング２２０に格納され、操作ボタン２１０の上面とケーシング２２０のフランジ２２１の上面とが略面一になる。すなわち、操作ボタン２１０の側面２１１は、ケーシング２２０で隠蔽された状態になる。一方、排水栓部１００の開栓状態においては、栓蓋１１０が上昇して排水口５２０を開き、且つ、図９（ｂ）に示すように、操作ボタン２１０も上昇して、ケーシング２２０のフランジ２２１よりも上方に突出した状態になる。すなわち、操作ボタン２１０の側面２１１がケーシング２２０のフランジ２２１よりも上方に露出する。
このように、排水栓部１００の栓蓋１１０の昇降状態と、操作部２００の操作ボタン２１０の昇降状態とを同期させて、栓蓋１１０の上昇時には操作ボタン２１０も上昇し、栓蓋１１０の下降時には操作ボタン２１０も下降しているから、いわば、操作部２００の状態が排水栓部１００の開閉状態を擬似的に表していることとなる。そのため、使用者は、浴槽５００の内部を覗き込むようにして排水栓部１００を視認することなく、操作部２００の状態によって排水栓部１００の開栓状態を直感的に理解することができる。
【００４８】
さらに、操作ボタン２１０の側面２１１には、操作ボタン２１０の本体とは素材の異なる蛍光色のシール部材を貼ることで、使用者に対し、より明確に排水栓部１００の開栓状態を知らしめることができる。なお、シール部材に変えて塗装や鍍金、ＬＥＤ等の照明具を使った表示も可能である。
【００４９】
次に、排水栓装置の閉栓操作について説明する。
開栓状態の排水栓部１００を、浴槽５００に湯をはるために閉栓状態とするために、使用者は、操作ボタン２１０を下方に押し下げる操作を行うと、スラストロック機構２３０の第一のロック状態が解除される。その後、使用者が操作ボタン２１０から手を離すとスプリング２３６の付勢力により操作ボタン２１０がわずかに上昇し、スラストロック機構２３０が第二のロック状態（図４（ｃ）の状態）になって、操作ボタン２１０の上面がケーシング２２０上端に設けたフランジ２２１と略同一面で停止する。
【００５０】
このとき、操作部側に設けた第一のインナーワイヤ３１２は、操作ボタン２１０の押し下げにより、動作反転部４００の方向に移動し、その後の操作ボタン２１０のわずかな上昇により、操作部２００の方向にわずかに戻される。
他方、排水部側に設けた第二のインナーワイヤ３２２は、動作反転部４００の作用によってこの第一のインナーワイヤ３１２の動作に連動し、操作ボタン２１０の押し下げにより動作反転部４００の方向に引っ張られることから、ケース６２０内のピン１２３が下降し、ピン１２３によって支持されていた排水栓部１００の栓蓋１１０は支持を失って自重により下降して排水口５２０を閉栓する。
【００５１】
さて、使用者が操作ボタン２１０から手を離すと、スラストロック機構２３０によって操作ボタン２１０のわずかな上昇が発生して、第二のインナーワイヤ３２２もまたわずかに押し上げられ、結果、ケース６２０内のピン１２３がわずかに上昇する。しかし、ピン１２３が最も下方に下がった位置においては、ピン１２３と栓蓋１１０の間には、前記のわずかな上昇分を吸収できるクリアランス（すき間）を設けていることから、わずかな上昇が生じても栓蓋１１０による閉栓には何ら影響を及ぼさないようになっている。
【００５２】
閉栓状態においては、操作ボタン２１０の上面がケーシング２２０上端に設けたフランジ２２１と略同一面で停止しているので、出っ張りが無い。したがって、使用者が誤って操作ボタン２１０上に洗面器を置いたり、肘を掛けたとしても、操作ボタン２１０が誤作動を起こすことが無いので、浴槽内のお湯が排水されることを未然に防止することができる。
【００５３】
また、同時に操作ボタン２１０の側面２１１がケーシング２２０で隠蔽されるので、排水栓部１００が閉栓されていることが操作部２００において擬似的に表現されることとなるので、操作ボタン２１０の態様から閉栓状態を直感的に把握することができる。
【００５４】
続いて、排水栓装置の開栓操作について説明する。
閉栓状態から、使用者が操作ボタン２１０を押し下げると、スラストロック機構２３０の第二のロック状態が解除され、その後、使用者が操作ボタン２１０から手を離すとスプリング２３６の付勢力によって操作ボタン２１０が上昇し、スラストロック機構２３０が第一のロック状態（図４（ａ）の状態）になって操作ボタン２１０がケーシング２２０のフランジ２２１よりも突出した位置（上昇ポジション）まで上昇して停止する。
【００５５】
このとき、操作部側に設けた第一のインナーワイヤ３１２は、操作ボタン２１０の押し下げにより、動作反転部４００の方向に移動し、操作ボタン２１０の上昇と共に、操作部２００の方向に戻される。
排水部側に設けられた第二のインナーワイヤ３２２は、動作反転部４００の作用によって、操作ボタン２１０の押し下げによる第一のインナーワイヤ３１２の動作に連動して動作反転部４００の方向に引っ張られた後、操作ボタン２１０の上昇と共に逆方向である排水部１００の方向に移動する。これによって、第二のインナーワイヤ３２２に接続した、ケース６２０のピン１２３が上昇して、それに支持された栓蓋１１０も上昇し排水口５２０を開栓する。
このようにして、開栓操作、閉栓操作に応じて排水栓装置が開栓、閉栓を行う。
【００５６】
さて、浴槽内部を清掃する場合には、通常、排水栓部１００を開栓して残り湯を排出し、使用者が浴槽内に入り込んでスポンジなどで丁寧に清掃する。
その際、誤って、開栓状態にある栓蓋１１０を踏みつけてしまうことがあるが、本実施形態の排水栓装置においては、開栓状態において、足で踏みつけるなど無理に栓蓋１１０を押し下げると、ケース６２０のピン１２３を伝い、排水部側の第二のインナーワイヤ３２２が押し下げられる。
この場合、動作反転部４００は、この第二のインナーワイヤ３２２の動作に連動して、操作部側の第一のインナーワイヤ３１２を引き下げる。ここで、操作部２００のスラストロック機構２３０は、スプリング２３６の付勢力によって第一のインナーワイヤ３１２を上昇させて第一のロック状態で保持されているが、第一のインナーワイヤ３１２はスプリング２３６の付勢力に抗うようにして第一のロック状態が解除される方向に引き下げ可能である。具体的には、第一のロック状態では、回転リング２３４が非回転リング２３３の係合歯２３３ａよりも下方のガイド溝２３１ｃ内を自由に昇降可能な状態であるため、ガイド溝２３１ｃが第一のインナーワイヤ３１２の引き下げを許容する動作許容部となっている。
そして、スラストロック機構２３０の第一のロック状態が解除される方向に作動するのにつれて、操作ボタン２１０は下降する。
【００５７】
なお、栓蓋１１０を踏みつけるなど一定の応力が栓蓋１１０に生じた場合、前述したように第一のインナーワイヤ３１２が引き下げられるため、スラストロック機構２３０は、非回転リング２３３が引き下げられ、回転リング２３４が外ケース２３１のガイド溝２３１ｂに案内されて第一のロック状態が解除される方向に下降して、スラストロック機構２３０の内部が、図１０の（ａ）の状態から（ｂ）の状態に移行する。ただし、栓蓋１１０を踏みつけただけでは、回転リング２３４は一つのガイド溝２３１ｂから抜け出ることはない。よって、回転リング２３４の被係合歯２３４ａは非回転リング２３３の係合歯２３３ａに係合したままであり、非係合歯２３４ａが外ケース２３１の係止歯２３１ｃに係合することはないから、スラストロック機構２３０はロックが解除される方向に作動するものの、この応力を取り除いた際、再び開栓状態（図１０（ａ）の状態）に戻るようになっている。
【００５８】
このように、本実施形態の排水栓装置においては、開栓状態にある栓蓋１１０を踏みつけてしまった場合であっても、ケース６２０やスラストロック機構２３０、あるいはレリースワイヤ３００といった内部構造を破損する恐れはないものである。
【００５９】
また、開栓状態においては操作ボタン２１０がケーシング２２０のフランジ２２１よりも上方に突出して側面２１１が露出した状態になっているので、従来技術のように操作ボタン２１０がフランジ２２１よりも低い位置に保持されることがないので、操作部に清掃時の洗剤などが流れ込み滞留する恐れがない。
【００６０】
なお、閉栓状態において、無理に栓蓋１１０を引き上げた場合であっても、栓蓋１１０とピン１２３の接触が離れるだけなので、ケース６２０や第二のインナーワイヤ３２２を破損することはなく、栓蓋１１０のみが外れるだけである。
【００６１】
次に、本発明の別の実施形態について説明する。
この第二の実施形態では、操作部と、レリースワイヤの操作部側の端部との間に動作反転機構を設けている。さらに、動作反転機構とロック機構を１つのケーシングの中に納めて一体化している。
【００６２】
図１１は、この実施形態のケーシングの内部構造を表す分解模式図である。
【００６３】
第二の実施形態のケーシング７００の内部には、パッキン７２０と、ワイヤガイド７３０と、回転体（増幅部、動作反転部）７４０と、付勢部７５０と、が収納されている。パッキン７２０は、例えば操作部６００の操作ボタン６１０とケース６２０との間の隙間から浸入した水（加熱されたお湯を含む）がワイヤガイド７３０や回転体７４０や付勢部７５０の側へ浸入することを防止する。付勢部７５０は、例えば「ねじりコイルばね」などと呼ばれるばねである。付勢部７５０は、ケーシング７００と回転体７４０とに係合されて栓蓋８１０を上昇させる方向すなわち操作ボタン６１０を上昇させる方向に付勢している。
【００６４】
回転体７４０は、栓蓋８１０および操作ボタン６１０の位置を制御するロック機構を有する。つまり、第二の実施形態にかかる排水栓装置では、動作反転部とロック機構とは、１つのケーシング７００に収納され一体化されている。これによれば、部品点数の削減やコスト削減を図ることができる。また、回転体７４０は、外周に形成された第１の溝７４１および第２の溝７４２を有する。ワイヤガイド７３０および回転体７４０については、後に詳述する。
【００６５】
パッキン７２０、ワイヤガイド７３０、回転体７４０、および付勢部７５０は、ケーシング７００に取り付けられた蓋７７０により覆われている。ケーシング７００の内周面には、雌ねじ７０１が形成されている。一方、蓋７７０の外周面には、雄ねじ７１１が形成されている。ケーシング７００と蓋７７０とは、互いに螺合することで、パッキン７２０と、ワイヤガイド７３０と、回転体７４０と、付勢部７５０と、を隠蔽することができる。
【００６６】
なお、ケーシング７００と蓋７７０との接合方法は、螺合だけに限定されず、溶着や接着であってもよい。ケーシング７００と蓋７７０とが溶着あるいは接着された場合には、パッキン７２０を設ける必要はない。また、図４に表したケーシング７００のようには、ケーシング７００の外形に段差部を設ける必要はない。そのため、部品点数の削減や、構造の簡略化などを図ることができる。また、コスト削減を図ることができる。
【００６７】
図１２は、ワイヤの連結構造を説明するための断面模式図である。なお、図１２は、操作ボタン６１０が下降状態にある場合を表している。また、図１２では、蓋７７０、パッキン７２０、およびワイヤガイド７３０を省略している。
【００６８】
ワイヤ７１１は、第１のワイヤ７１１ａと、第２のワイヤ７１１ｂと、を有する。第１のワイヤ７１１ａの一端は、一端が操作ボタン６１０に接続された連結体６３０に固定されている。第１のワイヤ７１１ａの他端は、第２のワイヤ７１１ｂの一端に固定されている。第２のワイヤ７１１ｂの他端は、回転体７４０の第１の溝７４１（図１１参照）に適宜固定されている。図７に表したように、ケーシング７００の管７０３は、二重管の構造を有する。ワイヤ７１１は、ケーシング７００の管７０３の内管７０３ｂの内部を移動することができる。一方、連結体６３０は、ケーシング７００の管７０３の外管７０３ａと内管７０３ｂとの間の空間を移動することができる。
【００６９】
回転体７４０は、軸２４３を有する。一方、ケーシング７００は、軸受け部７０５を有する。回転体７４０の軸２４３がケーシング７００の軸受け部７０５と係合することで、回転体７４０は、軸２４３を中心として回動することができる。
【００７０】
操作ボタン６１０が押されて下方へ移動すると、連結体６３０を介して操作ボタン６１０と連結されたワイヤ７１１は、下方すなわち回転体７４０の側へ移動する。そして、操作ボタン６１０を押す力は、連結体６３０およびワイヤ７１１を介して回転体７４０へ伝達される。そうすると、回転体７４０は、軸２４３を中心として図１２上で時計回りの方向へ回動する。このとき、図１１に関して前述したように、付勢部７５０は、栓蓋８１０を上昇させる方向すなわち操作ボタン６１０を上昇させる方向に付勢しているため、回転体７４０は、付勢部７５０の付勢力に対抗して回動する。
【００７１】
一方、押しボタン１１０が上方へ移動すると、付勢部７５０の付勢力によって、ワイヤ２１１は、上方すなわち回転体２４０とは反対の側へ移動する。そして、付勢部７５０の付勢力によって、回転体２４０は、軸２４３を中心として図１２上で反時計回りの方向へ回動する。
【００７２】
第１のワイヤ７１１ａの剛性は、第２のワイヤ７１１ｂの剛性よりも高い。また、第１のワイヤ７１１ａの長さは、第２のワイヤ７１１ｂの長さよりも長い。これによれば、操作ボタン６１０と回転体７４０との間の距離が比較的長い場合でも、ワイヤ７１１は、操作ボタン６１０を押す力をより確実に回転体７４０へ伝達することができる。また、第２のワイヤ７１１ｂは、回転体７４０の第１の溝７４１に嵌った状態で固定されている。そのため、第２のワイヤ７１１ｂが回転体７４０の第１の溝７４１から外れることを抑制することができる。
【００７３】
なお、図１１に関して前述したように、例えば操作部６００の操作ボタン６１０とケース６２０との間の隙間から浸入した水は、ケーシング７００の管７０３の外管７０３ａと内管７０３ｂとの間の空間を流れる。そして、ガイド筒５３０を流れて既存の排水管へ導かれる。
【００７４】
図１３は、レリースワイヤの連結構造を説明するための平面模式図である。また、図１４は、第二の実施形態の回転体を表す斜視模式図である。なお、図１３では、蓋７７０およびパッキン７２０を省略している。
【００７５】
第二の実施形態のワイヤガイド７３０は、ケーシング７００の脚受け部７０７に差し込まれて固定されている。すなわち、ワイヤガイド７３０は、回転体７４０とは異なり、ケーシング７００に対して回転するわけではない。
【００７６】
レリースワイヤ７１２をワイヤガイド７３０に固定することができる。そのため、アウターチューブ７１２ａは、ワイヤガイド７３０を介してケーシング７００に固定される。
また、インナーワイヤ７１２ｂの一端は、回転体７４０の第２の溝７４２（図１１参照）に適宜固定されている。
【００７７】
図１２に関して前述したように、操作ボタン６１０が押されて下方へ移動すると、回転体７４０は、軸２４３を中心として図１２上で時計回りの方向へ回動する。そうすると、回転体７４０の第２の溝７４２に固定されたインナーワイヤ７１２ｂは、図８に表した矢印Ａ３の方向へ移動する。そうすると、インナーワイヤ７１２ｂの他端に固定された排水栓部８００のピン８２３は、下降する。これによれば、ピン８２３により支持されていた栓蓋８１０は、支持を失い自重により下降して排水口５２１を閉栓状態とする。
【００７８】
一方、操作ボタン６１０が図１２上で上方へ移動すると、回転体７４０は、軸２４３を中心として図１３上で反時計回りの方向へ回動する。そうすると、回転体７４０の第２の溝７４２に固定されたインナーワイヤ７１２ｂは、図１３に表した矢印Ａ３とは反対の方向へ移動する。そうすると、インナーワイヤ７１２ｂの他端に固定された排水栓部８００のピン８２３は、上昇する。これによれば、栓蓋８１０は、ピン８２３により支持され上昇して排水口５２１を開栓状態とする。
【００７９】
このようにして、栓蓋８１０の昇降状態と、操作ボタン６１０の昇降状態と、を同期させることができる。言い換えれば、操作ボタン６１０の昇降動作と、栓蓋８１０の昇降動作と、を連動させることができる。つまり、回転体７４０は、操作ボタン６１０の動作による駆動力の方向を反転させて栓蓋８１０へ伝達する動作反転部としての機能を有する。
【００８０】
これによれば、使用者は、浴槽５００の内部を覗き込まなくとも操作ボタン６１０の昇降状態から排水口の開閉状態を直感的に把握することができる。つまり、第二の実施形態にかかる排水栓装置によれば、排水口の開閉状態を使用者に分かりやすく伝えることができる。
【００８１】
また、排水口５２１の開栓状態において、使用者が例えば足で栓蓋８１０を踏みつけるなどして無理に栓蓋８１０を押し下げると、栓蓋８１０の動作による駆動力は、ピン８２３を介してインナーワイヤ７１２ｂに伝達される。そうすると、インナーワイヤ７１２ｂは、図１３に表した矢印Ａ３の方向へ移動する。そうすると、回転体７４０は、付勢部７５０の付勢力に対抗しつつ図１３に表した矢印Ａ２の方向へ回動する。そうすると、ワイヤ７１１および操作ボタン６１０は、下降する。
【００８２】
つまり、排水口５２１の開栓状態においては、操作ボタン６１０は、自由に下降可能である。そのため、排水口５２１の開栓状態において、使用者が例えば足で栓蓋８１０を踏みつけるなどして無理に栓蓋８１０を押し下げても、排水栓装置が破損することを抑制することができる。
【００８３】
図１１および図１４に表したように、回転体７４０の第２の溝７４２は、回転体７４０の軸２４３からみて第１の溝７４１とは反対の側に設けられている。そのため、図１３に表したように、レリースワイヤ７１２のインナーワイヤ７１２ｂと、回転体７４０の第２の溝７４２と、の接続部（第１の接続部）２１１ｄは、回転体７４０の軸２４３からみて、ワイヤ７１１と、回転体７４０の第１の溝７４１と、の接続部（第２の接続部）２１２ｄとは反対の側に位置する。
【００８４】
また、第１の接続部７１１ｄと、回転体７４０の軸２４３と、の間の距離Ｄ１は、第２の接続部７１２ｄと、回転体７４０の軸２４３と、の間の距離Ｄ２よりも長い。そのため、てこの原理あるいは力のモーメントにより、レリースワイヤ７１２のインナーワイヤ７１２ｂが伝達する力は、ワイヤ７１１が伝達する力よりも大きい。言い換えれば、ワイヤ７１１が伝達する力は、回転体７４０により増幅されてレリースワイヤ７１２のインナーワイヤ７１２ｂにより伝達される。つまり、回転体７４０は、操作ボタン６１０を押す力を増幅して栓蓋８１０へ伝達する増幅部としての機能を有する。
【００８５】
ここで、排水口５２１の開栓状態すなわち栓蓋８１０の上昇状態は、付勢部７５０の付勢力を１つの要素あるいは要因として維持される。つまり、付勢部７５０が回転体７４０を図１３上で反時計回りの方向へ付勢する力を１つの要素あるいは要因として、排水口５２１の開栓状態すなわち栓蓋８１０の上昇状態が維持される。そのため、付勢部７５０の付勢力が比較的小さい場合には、排水時の水圧による力や排水時の引き込み力により栓蓋８１０の上昇状態が維持できない場合がある。
【００８６】
これに対して、第二の実施形態にかかる排水栓装置によれば、付勢部７５０の付勢力をより大きくすることで、排水時において排水口５２１の開栓状態すなわち栓蓋８１０の上昇状態を維持することができる。すなわち、回転体７４０が操作ボタン６１０を押す力を増幅して栓蓋８１０へ伝達する増幅部として機能するため、付勢部７５０の付勢力をより大きくしても、操作ボタン６１０を押すために必要な力を低減することができる。そのため、操作ボタン６１０の操作時における使用者への負担を低減することができる。これにより、排水時における水流の勢いで排水口５２１が閉栓状態となることを抑制し、より確実に排水を実行することができる。
【００８７】
また、より簡単な構造を有する回転体７４０を利用することで、操作ボタン６１０を押す力が増幅され栓蓋８１０へ伝達される。そのため、部品点数およびコストの削減を図ることができる。
【００８８】
さらに、第１の接続部７１１ｄと、回転体７４０の軸２４３と、の間の距離Ｄ１は、第２の接続部７１２ｄと、回転体７４０の軸２４３と、の間の距離Ｄ２よりも長いため、操作ボタン６１０の昇降距離（ストローク）は、栓蓋８１０の昇降距離（ストローク）よりも長い。そのため、栓蓋８１０が上昇した場合における操作ボタン６１０の上昇距離は、比較的長い（図１および図８参照）。これにより、操作ボタン６１０の上昇状態を使用者が視認しやすくなり、排水口の開閉状態をより分かりやすく使用者に伝えることができる。
【００８９】
次に、第二の実施形態のロック機構について、図面を参照しつつ説明する。  
図１５は、第二の実施形態のケーシングに形成されたガイド凹部を表す斜視模式図である。  ケーシング７００の底部７０８には、ガイド凹部７０９が設けられている（図１１）。ガイド凹部７０９は、径方向に延在している（図１６参照）。また、ガイド凹部７０９の内部には、ロックピン７６０が設けられている。ロックピン７６０は、基台７６１と、基台７６１から突出した凸部７６３と、を有し、図１５に表した矢印Ａ４および矢印Ａ５の方向に移動することができる。つまり、ロックピン７６０は、回転体７４０の軸２４３（図１４参照）あるいはケーシング７００の軸受け部７０５（図１２参照）に対して相対的に移動することができる。
【００９０】
図１４に表したように、回転体７４０は、ロックピン７６０の凸部７６３が内部を移動可能なカム溝７４５を有する。回転体７４０の軸２４３がケーシング７００の軸受け部７０５と係合したときには、カム溝７４５の底面７４５ｅは、ロックピン７６０の凸部７６３の上面７６３ａと対向する。  
このように、第二の実施形態のロック機構は、ガイド凹部７０９と、ロックピン７６０と、カム溝７４５と、を有する。
【００９１】
カム溝７４５は、第１のコーナー部７４５ａと、第２のコーナー部７４５ｂと、第３のコーナー部７４５ｃと、第４のコーナー部７４５ｄと、を有する。第１〜第４のコーナー部２４５ａ、２４５ｂ、２４５ｃ、２４５ｄの径は、ロックピン７６０の凸部７６３の径と略同じあるいはそれよりも大きい。そして、カム溝７４５は、第１〜第４のコーナー部２４５ａ、２４５ｂ、２４５ｃ、２４５ｄのそれぞれにおいて、ロックピン７６０を保持可能である。図１４に表したように、カム溝７４５の底面７４５ｅに対して垂直にみたときに、カム溝７４５の形状は、略ハート状である。
【００９２】
図１６〜図１９は、第二の実施形態のロック機構の動作を説明するための模式図である。  
また、図２０は、カム溝に対するロックピンの相対的な移動を説明するための平面模式図である。  
なお、図１６（ａ）、図１７（ａ）、図１８（ａ）、および図１９（ａ）は、操作ボタンの昇降状態を表す断面模式図である。  
また、図１６（ｂ）、図１７（ｂ）、図１８（ｂ）、および図１９（ｂ）は、回転体およびロックピンの位置を表す平面模式図である。  
また、図１６（ｃ）、図１７（ｃ）、図１８（ｃ）、および図１９（ｃ）は、栓蓋の昇降状態を表す断面模式図である。  
また、図１６（ｂ）、図１７（ｂ）、図１８（ｂ）、および図１９（ｂ）では、蓋７７０、パッキン７２０、およびワイヤガイド７３０を省略している。  
また、図２０は、ロックピン７６０の側からカム溝７４５を眺めたときの平面模式図である。
【００９３】
図１６（ａ）および図１６（ｃ）に表したように、操作ボタン６１０が上昇状態にあるとき、栓蓋８１０は、排水栓部８００のピン８２３により支持され上昇状態にある（排水口５２１の開栓状態）。このとき、図１６（ｂ）および図２０に表したように、ロックピン７６０は、カム溝７４５の第１のコーナー部７４５ａに位置する。すなわち、ロックピン７６０がカム溝７４５の第１のコーナー部７４５ａに位置（到達）することにより、操作ボタン６１０の上昇状態および栓蓋８１０の上昇状態（排水口５２１の開栓状態）が保持される（第１のロック状態）。
【００９４】
続いて、使用者が操作ボタン６１０を図１６（ａ）に表した矢印Ａ１１の方向に押すと、操作ボタン６１０の下降動作による駆動力がワイヤ７１１により回転体７４０へ伝達される。そのため、回転体７４０は、付勢部７５０の付勢力に対抗しつつ図１６（ｂ）に表した矢印Ａ１２の方向へ回動する。そうすると、ロックピン７６０は、ガイド凹部７０９の内部を移動しつつ、図２０に表した矢印Ａ２１のようにカム溝７４５の内部を移動する。つまり、第１のロック状態が解除される。また、排水栓部８００のピン８２３は、下降する。
【００９５】
そして、図１７（ｂ）および図２０に表したように、ロックピン７６０がカム溝７４５の第２のコーナー部７４５ｂに到達し保持されると、操作ボタン６１０および排水栓部８００のピン８２３の下降動作が停止する。つまり、ロックピン７６０がカム溝７４５の第２のコーナー部７４５ｂに到達したときに、操作ボタン６１０および排水栓部８００のピン８２３は、最下端の位置に到達する。
【００９６】
このとき、図１７（ｃ）に表したように、排水栓部８００のピン８２３は、栓蓋８１０から離れ、栓蓋８１０を支持していない。そのため、栓蓋８１０は、排水栓部８００のピン８２３による支持を失い下降する。これにより、排水口５２１は、閉栓状態となる。
【００９７】
続いて、使用者が操作ボタン６１０から手を離すと、回転体７４０は、付勢部７５０の付勢力により図１７（ｂ）に表した矢印Ａ１３の方向へ回動する。そうすると、回転体７４０の回動による駆動力が、ワイヤ７１１およびレリースワイヤ７１２により操作ボタン６１０および排水栓部８００のピン８２３へそれぞれ伝達される。そのため、操作ボタン６１０および排水栓部８００のピン８２３は、最下端の位置から上昇する。
【００９８】
またこのとき、ロックピン７６０は、ガイド凹部７０９の内部を移動しつつ、図２０に表した矢印Ａ２２のようにカム溝７４５の内部を移動する。そして、図１８（ｂ）および図２０に表したように、ロックピン７６０がカム溝７４５の第３のコーナー部７４５ｃに到達し保持されると、操作ボタン６１０および排水栓部８００のピン８２３の上昇動作が停止する。
【００９９】
このとき、図１８（ｃ）に表したように、排水栓部８００のピン８２３は、最下端の位置から僅かに上昇するが、栓蓋８１０から離れ、栓蓋８１０を支持していない。そのため、排水口５２１は、閉栓状態のままで保持される。つまり、図１８（ａ）〜図１８（ｃ）に表したように、ロックピン７６０がカム溝７４５の第３のコーナー部７４５ｃに到達し保持されることにより、操作ボタン６１０の下降状態および栓蓋８１０の下降状態（排水口５２１の閉栓状態）が保持される（第２のロック状態）。
【０１００】
続いて、使用者が操作ボタン６１０を図１８（ａ）に表した矢印Ａ１４の方向に押すと、操作ボタン６１０の下降動作による駆動力がワイヤ７１１により回転体７４０へ伝達される。そのため、回転体７４０は、付勢部７５０の付勢力に対抗しつつ図１８（ｂ）に表した矢印Ａ１５の方向へ回動する。そうすると、ロックピン７６０は、ガイド凹部７０９の内部を移動しつつ、図２０に表した矢印Ａ２３のようにカム溝７４５の内部を移動する。つまり、第２のロック状態が解除される。また、排水栓部８００のピン８２３は、下降する。
【０１０１】
そして、図１９（ｂ）および図２０に表したように、ロックピン７６０がカム溝７４５の第４のコーナー部７４５ｄに到達し保持されると、操作ボタン６１０および排水栓部８００のピン８２３の下降動作が停止する。つまり、ロックピン７６０がカム溝７４５の第４のコーナー部７４５ｄに到達したときに、操作ボタン６１０および排水栓部８００のピン８２３は、最下端の位置に到達する。
【０１０２】
このとき、図１９（ｃ）に表したように、排水栓部８００のピン８２３は、栓蓋８１０から離れ、栓蓋８１０を支持していない。そのため、栓蓋８１０は、そのため、排水口５２１は、閉栓状態のままである。
【０１０３】
続いて、使用者が操作ボタン６１０から手を離すと、回転体７４０は、付勢部７５０の付勢力により図１９（ｂ）に表した矢印Ａ１６の方向へ回動する。そうすると、回転体７４０の回動による駆動力が、ワイヤ７１１およびレリースワイヤ７１２により操作ボタン６１０および排水栓部８００のピン８２３へそれぞれ伝達される。そのため、操作ボタン６１０および排水栓部８００のピン８２３は、最下端の位置から上昇する。
【０１０４】
またこのとき、ロックピン７６０は、ガイド凹部７０９の内部を移動しつつ、図２０に表した矢印Ａ２４のようにカム溝７４５の内部を移動する。そして、図１６（ｂ）および図２０に表したように、ロックピン７６０がカム溝７４５の第１のコーナー部２４５ｃに到達し保持されると、操作ボタン６１０および排水栓部８００のピン８２３の上昇動作が停止する。つまり、図１６（ａ）〜図１６（ｃ）に表したように、ロックピン７６０がカム溝７４５の第１のコーナー部７４５ａに到達し保持されることにより、操作ボタン６１０の下降状態および栓蓋８１０の下降状態（排水口５２１の閉栓状態）が保持される（第１のロック状態）。
【０１０５】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。
また、前述した各実施の形態が備える各要素は、技術的に可能な限りにおいて組み合わせることができ、これらを組み合わせたものも本発明の特徴を含む限り本発明の範囲に包含される。
【符号の説明】
【０１０６】
１００…排水栓部
１１０…栓蓋
１２０…ケース
１２１…内ケース
１２２…外ケース
１２３…ピン
２００…操作部
２１０…操作ボタン
２２０…ケーシング
２２１…フランジ
２３０…スラストロック機構（閉栓状態保持機構）
２３１…外ケース
２３１ａ…凸部
２３１ｂ…ガイド溝（動作許容部）
２３１ｃ…係止歯
２３２…内ケース
２３３…非回転リング
２３３ａ…係合歯
２３４…回転リング
２３４ａ…被係合歯
２３５…支持軸
２３５ａ…鍔部
２３６…スプリング（付勢手段）
３００…レリースワイヤ
３１０…第一のレリースワイヤ
３１１…アウターチューブ
３１２…インナーワイヤ
３２０…第二のレリースワイヤ
３２１…アウターチューブ
３２２…インナーワイヤ
３３０…連結アウターチューブ
３４０…固定具
４００…動作反転部（動作反転機構）
５００…浴槽
５１０…フランジ
５１１…貫通孔
５２０…排水口
５３０…ガイド筒
６００…操作部
６１０…操作ボタン
６２０…ケース
６３０…連結体
７００…ケーシング
７０１…雌ねじ
７０３…管
７０５…軸受け部
７０７…脚受け部
７０８…底部
７０９…ガイド凹部
７１１…ワイヤ
７１１ａ…第１のワイヤ
７１１ｂ…第２のワイヤ
７１１ｄ…第１の接続部
７１２…レリースワイヤ
７１２ａ…アウターチューブ
７１２ｂ…インナーワイヤ
７１２ｄ…第２の接続部
７２０…パッキン
７３０…ワイヤガイド
７４０…回転体
７４１…第１の溝
７４２…第２の溝
７４３…軸
７４５…カム溝
７４５ａ…第１のコーナー部
７４５ｂ…第２のコーナー部
７４５ｃ…第３のコーナー部
７４５ｄ…第４のコーナー部
７４５ｅ…底面
７５０…付勢部
７６０…ロックピン
７６１…基台
７６３…凸部
７６３ａ…上面
７７０…蓋
８００…排水栓部
８１０…栓蓋
８２３…ピン
【図１】
0005979574.tif 000002
【図２】
0005979574.tif 000003
【図３】
0005979574.tif 000004
【図４】
0005979574.tif 000005
【図５】
0005979574.tif 000006
【図６】
0005979574.tif 000007
【図７】
0005979574.tif 000008
【図８】
0005979574.tif 000009
【図９】
0005979574.tif 000010
【図１０】
0005979574.tif 000011
【図１１】
0005979574.tif 000012
【図１２】
0005979574.tif 000013
【図１３】
0005979574.tif 000014
【図１４】
0005979574.tif 000015
【図１５】
0005979574.tif 000016
【図１６】
0005979574.tif 000017
【図１７】
0005979574.tif 000018
【図１８】
0005979574.tif 000019
【図１９】
0005979574.tif 000020
【図２０】
0005979574.tif 000021